(57)【特許請求の範囲】
【請求項１】
カセットケースと、
このカセットケース内に磁気テープを巻回して回転自在に取り付けられた一対のリールと、
前記カセットケースに取り付けられて固定端を形成する固定部と、前記リールをその回転軸方向に押圧する腕部と、前記固定部と前記腕部との間に屈曲部を備え、前記一対のリールに対してそれぞれ設けられる平板状のリールばねとを有し、
前記リールばねは、重ねられた複数のリールばねの中から一つ取り出す際に空隙を形成する突起部を前記固定部に有し、
前記カセットケースは、前記リールばねの固定端の固定位置を規制する設置ガイドを備えた前記リールばねを取り付けるためのリールばね設置部を有し、
前記リールばねは、前記突起部が前記設置ガイドから突出しないよう前記リールばね設置部に取り付けられる磁気テープカセット。
【請求項２】
前記リールばね設置部の底面は、前記リールばね設置部の外側のカセットケース面より凹んでいる請求項１に記載の磁気テープカセット。
【請求項３】
前記リールばねは、前記突起部が前記リールばね設置部の底面に対向するように取り付けられ、前記リールばね設置部の底面は、前記リールばねの前記突起部を受け入れる凹部を有する請求項１に記載の磁気テープカセット。
【発明の詳細な説明】
【０００１】
【発明の属する技術分野】
本発明は、磁気テープを巻回して回転自在に取り付けられたリールをリールの回転する軸方向に押圧するリールばねを有した磁気テープカセットに関する。
【０００２】
【従来の技術】
従来、オーディオ機器やビデオ機器等では、一対のリールに巻回して磁気テープをカセットケース内で走行可能にして記録再生を行う磁気テープカセットが用いられている。
これらの磁気テープカセットには、磁気テープが巻回された一対のリールがその回転する軸方向に動くことなくテープ走行がスムースに行えるように、カセットケース内にリールばねが取り付けられ、一対のリールをカセットケースの一方向に押圧している。
【０００３】
このリールばねは、例えばＶＨＳ方式の磁気テープカセットでは、リールばね中央の固定部から左右対称に伸び適宜湾曲して張り出したアームを有する金属製板状ばねで、このリールばね中央の固定部はカートリッジ中央部で固定され、一対のリールを同時に押圧している。
近年、磁気テープの高密度化や磁気テープカセットの小型化に伴い、上記一対のリールを押圧するリールばねにとって替わり、８ｍｍカセットやＤＤＳカセットのように、設置スペースをそれほど必要とせず、コスト的にも安価な平板形状の一対のリールばねが用いられている。
【０００４】
図４に、このようなリールばねを有するデジタルビデオカセット（ＤＶＣ）の一部分を示している。
デジタルビデオカセット３０は、図４に示されるようにカセットケースの上ハーフ３２、磁気テープを巻回して回転自在に取り付けられた一対のリール３４および略直方状の平板形状に簡素化したリールばね３６を有し、その他に、カセットケースの一部である下ハーフ、カセットケース前方の開口部を覆うリッドを構成するアウターリッド、アッパーリッド、インナーリッドおよび各種ばね等から構成される。
ここで、平板形状に簡素化したリールばね３６は、材質としてアルミニウムやＳＵＳからなる金属が用いられ、図５（ａ）または図５（ｂ）に示されるように、突起部３８が設けられている。
【０００５】
突起部３８を設けるのは、リールばね３８をカセットケースの上ハーフ３２に供給する際の供給効率の向上を目的とするためである。
リールばね３６は、図６に示すように、リールばね供給装置５０に立設する供給棒５２に複数枚積み重ねられて繋止され、一枚ずつ吸着パッド等の吸着手段によってカセットケースに供給されるが、供給する際リールばね３８の端部をＡ方向に押すことで、図６に示すように、突起部３８の作用によって、押された側と反対の端部はＢ方向に上に持ち上がり空隙を形成し、一枚ずつばらけ、その結果、リールばね３８を一枚ずつ吸着パッド等のような吸着手段によって容易に取り出し、カセットケースに供給する。
このようにして、リールばね３６の製造時に生じるばりやリールばね３６に残った洗浄工程での残留油分によって複数のリールばね３６が密着しても、リールばね３６を一枚ずつ供給することができる。
【０００６】
リールばね設置部４０に供給されるリールばね３６は、リールばね設置部４０の設置ガイド４４に左右が規制され、リールばね３６上に設けられたボス孔４６をリールばね設置部４０に設けられた上ハーフボス４２に引っ掛けて繋止され、その後、上ハーフボス４２とリールばね３６は超音波ウエルダー等を用いて溶着され取り付けられる。
【０００７】
【発明が解決しようとする課題】
しかし、固定されたリールばね３６上の突起部３８は、カートリッジ内部の狭いスペースの制限を受けて、図４に示されるように、フランジ３５の外周部の下方に位置せざるを得ないため、磁気テープカセットに取り付けられたリールばね３６の突起部３６は樹脂成形品であるフランジ３５に傷を容易に付ける原因となるといった問題が生じた。
つまり、図７に示されるように、リールばね３６は、リール３４のフランジ３５を一方向に押しつけて磁気テープの安定した巻回を可能とするが、突起部３８を有するため、通常の使用状態では傷が付くことはないものの、磁気テープカセットを落下させ衝撃を与えた場合、金属材料で構成されるリールばね３６の突起部３８がカセット内のフランジ３５と接触し鋭い打痕を付ける場合があった。このような場合、デジタルビデオカセット３０の窓４８を通してフランジ３５の打痕を視認することができるため、外観上好ましくない。また、打痕によって削れたフランジ３５の樹脂の削れかすが磁気テープ表面等に付着して、再生時のノイズの原因となり磁気テープの性能を劣化させてしまうおそれがあった。また、最悪の場合には、突起部３８がフランジ３５を強打してフランジ３５を破損させるおそれもあった。
【０００８】
突起部３８がフランジ３５と接触しないように、リールばね３６の突起部３８をボス孔４６付近に設けることが考えられるが、デジタルビデオカセットのような小型化された磁気テープカセットでは、図７に示されるように、フランジ３５の外周部はリールばね３６のボス孔４６の下方にまで伸び、磁気テープカセットを落下させ衝撃を与えた際、突起部３８がフランジ３５と接触しない位置は存在しない。そのため、リールばね３６の突起部３８をボス孔４６付近に設けても打痕を解消することはできない。
また、突起部３８がフランジ３５と接触しないように突起部３８の突起高さを低くすることも考えられた。しかし、突起高さを低くすると、リールばね供給装置は、複数のリールばね３６が密着した状態で、リールばね設置部４０に供給するケースが多くなり、供給作業の効率が極端に悪くなる。
さらに、リールばね３６のボス孔４６を上ハーフボス４２に引っかけて繋止する際にリールばね３６を規制して所定の位置に位置決めする設置ガイド４４のリッジ（山）の高さを高くすることも考えられるが、設置ガイド４４のリッジの高さを高くすることは、限られた上ハーフ３２内部の狭いスペースからみて困難であり、設置ガイド４４のリッジの高さを高くできない。
【０００９】
そこで、本発明は上記問題点を解消し、デジタルビデオカセット等の磁気テープカセット組み立て時に、複数のリールばねを密着した状態で、カセットケースに供給することなく一枚ずつ確実に供給し、一方、磁気テープカセットを落として強い衝撃を与えても、リールのフランジに打痕が生じることがなく、その結果外観上さらには磁気テープの性能上優れた品質を保つ磁気テープカセットを提供することを目的とする。
【００１０】
【課題を解決するための手段】
そこで上記目的を達成するために、本発明は、カセットケースと、
このカセットケース内に磁気テープを巻回して回転自在に取り付けられた一対のリールと、
前記カセットケースに取り付けられて固定端を形成する固定部と、前記リールをその回転軸方向に押圧する腕部と、前記固定部と前記腕部との間に屈曲部を備え、前記一対のリールに対してそれぞれ設けられる平板状のリールばねとを有し、
前記リールばねは、その固定部に重ねられた複数のリールばねの中から一つ取り出す際に空隙を形成する突起部を有し、
前記カセットケースは、前記リールばねの固定端の固定位置を規制する設置ガイドを備えた前記リールばねを取り付けるためのリールばね設置部を有し、
前記リールばねは、前記突起部が前記設置ガイドから突出しないよう前記リールばね設置部に取り付けられる磁気テープカセットを提供するものである。
【００１１】
ここで、前記リールばね設置部の底面は、前記リールばね設置部の外側のカセットケース面より凹んでいることが好ましい。また前記リールばねは、前記突起部が前記リールばね設置部の底面に対向するように取り付けられ、前記リールばね設置部の底面は、前記リールばねの前記突起部を受け入れる凹部を有することが好ましい。
【００１２】
【発明の実施の形態】
以下、本発明の磁気テープカセットについて、添付の図面に示される好適実施例を基に詳細に説明する。
【００１３】
図１は、本発明の磁気テープカセットの一実施例であるデジタルビデオカセット（ＤＶＣ）の特徴部分、すなわち、リールばねが、デジタルビデオカセットのカセットケースの上ハーフの所定位置に取り付けられた状態を示す平面図である。
デジタルビデオカセット１０は、従来のデジタルビデオカセット３０と同様に、リールばね１２と上ハーフ１４の他に、磁気テープを巻回して回転自在に取り付けられた一対のリール、カセットケースの一部であり下ハーフ、カセットケース前方の開口部を覆うリッドを構成するアウターリッド、アッパーリッド、インナーリッドおよび各種ばね等から構成される。
デジタルビデオカセット１０の一対のリール、下ハーフ、アウターリッド、アッパーリッド、インナーリッドおよびリールばね１２を除く各種ばねは、従来のデジタルビデオカセット３０と略同等であるため、詳細な説明は省き、本発明の特徴部分であるリールばね１２とリールばね１２を取り付ける上ハーフ１４のリールばね設置部１６について詳細に説明をする。
【００１４】
図２（ａ）にリールばね１２の側面図が示され、図２（ｂ）にリールばね１２の平面図が示される。
リールばね１２は、リールをその回転する軸方向に押圧するための平板状の板ばねであり、上ハーフ１４に取り付けられて固定端を形成する固定部１２ａと、リールをその回転軸方向に押圧する腕部１２ｂと、前記固定部と前記腕部との間に屈曲部１２ｃとを有する。
また、リールばね１２の両端は、図２（ｂ）に示されるように、三角形状または円弧形状に面取りされる。
リールばね１２が取り付けられるリールばね設置部１６は、リールばね１２の幅に対応して一定の間隔で平行に配置される一定の長さを有する一対のリッジである設置ガイド１８、リールばね１２と面接触する設置ガイド１８間の底面１９およびリールばね１２を引っかけて繋止する上ハーフボス１７からなる。
一対のリッジからなる設置ガイド１８は、取り付けられるリールばね１２が左右にずれることのないように固定位置を規制する。
【００１５】
リールばね１２の屈曲部１２ｃの位置および曲げ角度は、リールばね１２に要求される付勢力に応じて決めることのできる設計自由度となるもので、特に制限的ではない。また、リールばね１２の材質も特に制限的ではないが、好ましい材質として例えばＳＵＳ３０４が挙げられる。
固定部１２ａはボス孔２２を有し、上ハーフ１４のリールばね設置部１６に設けられた上ハーフボス１７に引っかけて繋止される。リールばね１２の左右の動きを規制する設置ガイド１８とともに、上ハーフボス１７に繋止されるので、リールばね１２がリールばね設置部１６に供給されて次工程である溶着工程に搬送される際、搬送中リールばね１２は所定の位置からずれず、搬送後、上ハーフボス１７とリールばね１２は超音波ウエルダー等を用いて溶着される。
また、固定部１２ａは、ボス孔２２の付近に突起部２０を有する。
突起部２０を設けるのは、従来のリールばね３８が図６に示す方法と同様に、重ねられたリールばね１２から一枚ずつ取り出して、上ハーフ１４に供給するためである。この突起部２０は、従来のリールばね３６の突起部３８の設けられる位置と異なり、固定部１２ａに設けられるが、図６に示す従来のリールばね３６の突起部３８と同様に、重ねられたリールばね１２の端部を押し下げることで、押された側と反対の端部を上に持ち上げ空隙を形成させ、一枚ずつばらすものである。
【００１６】
また、リールばね１２上の突起部２０の高さは制限的ではないが、以下で述べるように、リールのフランジ３５に打痕を付け、場合によってはリール３４のフランジ３５を破損させないように、上ハーフ１４に取り付けられたリールばね１２の突起部２０は、リールばね１２を規制するための設置ガイドのリッジ（山）の高さを超えないように、所定の高さ以下としなければならない。しかし、突起部２０の高さを必要以上に低くするとリールばね供給装置によってリールばね１２を供給する際、１枚ずつばらけず、場合によっては、２枚重なった状態でリールばね１２が供給されるため、突起部２０の高さを必要以上に低くすることはできない。
【００１７】
このようなリールばね１２は、一枚ずつリールばね設置部１６の設置ガイド１８に規制され、リールばね１２上に設けられたボス孔２２をリールばね設置部１６に設けられた上ハーフボス１７に引っ掛けられて繋止される。その後、リールばね１２を繋止した上ハーフボス１７は、超音波ウエルダー等を用いて上方から溶融して潰され、リールばね１２は固定される。固定部１２ａのボス孔２２近傍は、潰された上ハーフボス１７によって上方から固定され、固定端を形成する。
【００１８】
次に、上ハーフ１４のリールばね設置部１６について説明する。リールばね設置部１６は上述したように、上ハーフ１４の底面に設けられた一対のリッジである設置ガイド１８、リールばね１２と面接触する一対のリッジである設置ガイド１８間の底面１９およびリールばね１２を引っかけて繋止する上ハーフボス１７とから構成される。
図２（ｃ）は、図１に示すＡ−Ａ’部断面の断面図であり、リールばね１２をリールばね設置部１６に取り付けた状態を示すもので、本発明の特徴とする部分を説明する図である。
設置ガイド１８のリッジ（山）の高さは、従来のデジタルビデオカセット３０の設置ガイド４４のリッジの高さと変わらないが、リールばね設置部１６の底面１９は、図２（ｃ）に示されるように設置ガイド１８の外側の面２１より凹んでいる。これは、上述したように、リールばね１２を一枚ずつ確実に供給するためにも、突起部２０の高さを必要以上に小さくすることはできず、また、上ハーフ３２内のスペースの問題から、設置ガイド１８のリッジの高さを高くすることもできないため、突起部２０が設置ガイドのリッジの高さを突出しないように、底面１９を凹ませている。
これによって、磁気テープカセットを落下して強い衝撃を与えた場合でも、金属製リールばね１２の突起部２０がリールのフランジ３５に接触して鋭い打痕を生じさせることはなく、また破損することもない。
【００１９】
このようなリールばね１２とリールばね設置部１６の組み合わせの一例として、以下の例を挙げることができる。
デジタルビデオカセットテープとして，ＤＶＣ−ＰのＬタイプカセットを用い、リールばね１２の長さは３６ｍｍ、幅５ｍｍ、厚さ０．２ｍｍであり、突起部２０の高さは０．１５ｍｍである。突起部２０の高さ０．１５ｍｍは、リールばね供給装置５０から一枚ずつ確実に供給することができる十分な高さである。一方、リールばね設置部１６の底面１９は設置ガイド１８の外側の面２１に比べて０．２ｍｍ凹んでいる。
突起部２０の高さは０．１５ｍｍであり、リールばね１２の板厚は０．２ｍｍであるので、取り付ける底面１９から突起部２０の頂点までの高さは０．３５ｍｍである。また、設置ガイド１８のリッジ高さは従来と同様に０．３ｍｍであるので、底面１９から設置ガイド１８のリッジ頂点までの高さは０．５ｍｍである。それゆえ、リールばね１２の突起部２０の高さは、設置ガイド１８のリッジより０．１５ｍｍ低いことになり、磁気テープカセットを落下して強い衝撃を与えた場合でも、突起部２０がリールのフランジ３５に接触して鋭い打痕を生じさせることはなく、また破損することもない。
従来のデジタルビデオカセットテープ３０のように底面が凹んでない場合、底面から設置ガイド４４のリッジの頂点までの高さは０．３ｍｍであり、一方底面から突起部３８の頂点までの高さは０．３５ｍｍなので、突起部３８の頂点はリッジの頂点より０．０５ｍｍ高くなり、その結果、金属製リールばね３６の突起部３８がリールのフランジに接触して鋭い打痕を生じさせ、場合によっては破損させる。
【００２０】
このように、リールばね１２は、リールばね１２の面上に、重ねられた複数のリールばね１２の中から一つ取り出す際に空隙を形成する突起部２０が設けられているので、リールばね１２を一枚ずつばらし、一枚ずつ確実に供給することができる一方、リールばね設置部１６の底面１９は凹んでいるので、取り付けたリールばね１２の突起部２０はリールばね設置部の設置ガイド１８のリッジの高さを超えず、リールのフランジに接触することはなく、鋭い打痕を生じさせることはなく、また破損することもない。
【００２１】
以上、本発明の一実施例としてリールばね１２を有するデジタルビデオカセットを挙げて説明したが、その他に、以下の態様をしたリールばねとリールばね設置部の組み合わせを用いたデジタルビデオカセットの実施例が挙げられる。
なお、以下に説明するデジタルビデオカセットは、デジタルビデオカセット１０と略同様であり、同一の部分には、同じ番号に’を付して区別している。
デジタルビデオカセット１０’の上ハーフ１４’に設置されるリールばね１２’を図３（ａ）および図３（ｂ）に示す。図３（ａ）は、リールばね１２’の側面図であり、図３（ｂ）はリールばね１２’の平面図である。また、図３（ｃ）に、リールばね１２’が設置されるリールばね設置部の断面（図１に示されるデジタルビデオカセット１０のＡ−Ａ’部の断面と同じ場所の断面）を示す。
【００２２】
リールばね１２’は、リールばね１２と略同等の形状をなし、突起部２０’の設けられる位置のみが異なる。すなわち、突起部２０’は、図３（ａ）に示すように、リールばね１２と異なり、リールばね設置部１６’の底面に対向する面上（図３（ａ）に示すリールばね１２’においては下面側）に設けられている。しかし、突起部２０’がリールばね設置部１６’の底面に対向する面上に設けられても、リールばね供給装置５０から供給される際、従来のリールばね３６と同様に、リールばね１２’は一枚ずつばらけ、一枚ずつ確実に供給することができる。
【００２３】
一方、リールばね設置部１６’の底面は、突起部２０’の位置に対応して、突起部２０’の凸部を受け入れる凹部２４を有する。リールばね１２’を底面１９’に安定して取り付けることができるほか、突起部２０’はリールばね設置部１６’の底面に対向するように取り付けられるため、リールばね設置部１６’の設置ガイド１８’のリッジ高さを超えることはない。その結果、リール３４のフランジ３５に接触することはなく、鋭い打痕を生じさせることはなく、また破損することもない。
【００２４】
以上、本発明の磁気テープカセットについて詳細に説明したが、本発明は上記実施例に限定はされず、本発明の要旨を逸脱しない範囲において、各種の改良および変更を行ってもよいのはもちろんである。
【００２５】
【発明の効果】
以上、詳細に説明したように、本発明によれば、リールばねの面上に空隙を形成する突起部が設けられているので、リールばねをカセットケースに供給する際、リールばねを一枚ずつばらし、一枚ずつ確実に供給することができる一方、取り付けられたリールばねの突起部はリールばね設置部の設置ガイドのリッジの高さを突出しないように設けられるので、磁気テープカセットを落下させて衝撃を与えた場合でも、突起部がフランジに接触して鋭い打痕を生じさせることはなく、また破損することもなく、その結果外観上さらには磁気テープの性能においても優れた品質を保つ磁気テープカセットを提供することができる。
【図面の簡単な説明】
【図１】  本発明の磁気テープカセットの一実施例の要部を示す平面図である。
【図２】  （ａ）は、本発明の磁気テープカセットの一実施例に利用されるリールばねの側面図であり、（ｂ）は、その平面図である。（ｃ）は、本発明の磁気テープカセットの一実施例における図１に示すＡ−Ａ’部の断面図である。
【図３】  （ａ）は、本発明の磁気テープカセットの他の実施例に利用されるリールばねの側面図であり、（ｂ）は、その平面図である。（ｃ）は、本発明の磁気テープカセットの他の実施例におけるリールばね設置部の断面図である。
【図４】  従来の磁気テープカセットの一例の要部を示す斜視図である。
【図５】  （ａ）は、従来の磁気テープカセットに利用されるリールばねの一例を示す断面図であり、（ｂ）は、その平面図である。
【図６】  磁気テープカセットにリールばねを供給するリールばね供給装置の概略図である。
【図７】  従来の磁気テープカセットにリールばねが装着された状態を説明する図である。
【符号の説明】
１０、３０  デジタルビデオカセット
１２、１２’、３６  リールばね
１２ａ  固定部
１２ｂ  腕部
１２ｃ  屈曲部
１４、１４’、３２  上ハーフ
１６、１６’、４０  リールばね設置部
１７、４２  上ハーフボス
１８、１８’、４４  設置ガイド
１９、１９’  底面
２０、２０’  突起部
２１  外側の面
２２、４６  ボス孔
２４  凹部
３４  リール
３５  フランジ
４８  窓
５０  リールばね供給装置
５２  供給棒
【図１】
0003841575.tif 000002
【図２】
0003841575.tif 000003
【図３】
0003841575.tif 000004
【図４】
0003841575.tif 000005
【図５】
0003841575.tif 000006
【図６】
0003841575.tif 000007
【図７】
0003841575.tif 000008